(57)【特許請求の範囲】
【請求項１】
開口部を有する筒状体、前記筒状体の前記開口部を開閉可能な蓋体及び前記蓋体における前記筒状体とは反対側の面に配置された嵌合部を有するサンプリングホルダと、
前記嵌合部に嵌合可能な誤刺防止用針カバーとを備え、
前記嵌合部は、
リブ部と、
前記リブ部に設けられた一つ以上の突部からなる係止部を有し、
前記誤刺防止用針カバーは、
前記係止部に係止可能な被係止部を有し、
前記蓋体における前記筒状体とは反対側の面と前記リブ部との境界部分のうち、前記突部に対応する位置には穴が設けられている
ことを特徴とする採血セット。
【請求項２】
前記係止部は、複数の突部からなることを特徴とする、請求項１に記載の採血セット。
【請求項３】
前記リブ部が円周リブであり、
前記複数の突部は、前記円周リブの中心軸に直交する仮想線に対して対称的に配置されていることを特徴とする、請求項２に記載の採血セット。
【請求項４】
前記係止部の突端は、前記蓋体における前記筒状体側の面に向けて伸びていることを特徴とする、請求項１から３のいずれか一項に記載の採血セット。
【請求項５】
前記蓋体の端部には、爪部が設けられており、
前記筒状体の前記開口部近傍には、前記爪部と引っ掛かりあう爪引っ掛け部が設けられていることを特徴とする、請求項１から４のいずれか一項に記載の採血セット。
【請求項６】
開口部を有する筒状体、前記筒状体の前記開口部を開閉可能な蓋体及び前記蓋体における前記筒状体とは反対側の面に配置された嵌合部を備え、
前記嵌合部は、
リブ部と、
前記リブ部に設けられた一つ以上の突部からなる係止部を有し、
前記蓋体における前記筒状体とは反対の面と前記リブ部との境界部分のうち、前記突部に対応する位置には、穴が設けられている
ことを特徴とするサンプリングホルダ。
【請求項７】
前記係止部は、複数の突部からなることを特徴とする、請求項６に記載のサンプリングホルダ。
【発明の詳細な説明】
【技術分野】
【０００１】
本発明は、採血セット、サンプリングホルダ及び誤刺防止用針カバーに関する。
【背景技術】
【０００２】
従来より、採血針と血液バッグとサンプリングホルダと誤刺防止用針カバーとを備える採血セットが知られている（例えば特許文献１参照）。【０００３】
特許文献１に記載された従来のサンプリングホルダは、略円筒状の本体と当該本体の上部に着脱される蓋体（キャップ）からなり、この蓋体には嵌合部（キャップ内筒）が設けられている。採血後、不要になった採血針を誤刺防止用針カバーに収納し、誤刺防止用針カバーを蓋体の嵌合部に圧入して、採血針ごとサンプリングホルダと誤刺防止用針カバーを廃棄している。これにより、サンプリングホルダと誤刺防止用針カバーを廃棄する際に採血針を露出させなくすることが可能となる。その結果、採血針が露出したままで廃棄する際に起こり得る誤刺や血液感染の発生リスクを低減させることができる。
【先行技術文献】
【特許文献】
【０００４】
【特許文献１】日本国実用新案登録第３１２３８１３号公報
【発明の概要】
【発明が解決しようとする課題】
【０００５】
ところで献血等、採血セットを取り扱う現場においては、安全性の観点から、廃棄時における誤刺や血液感染の発生リスクを限りなくゼロに近づけたいという要望があり、サンプリングホルダと誤刺防止用針カバーとが更に外れにくい採血セットが望まれている。
このような要望に対し、特許文献１に記載された従来の採血セットにおいては、廃棄の際にサンプリングホルダと誤刺防止用針カバーとが外れないようにしようとすると、比較的強い力で誤刺防止用針カバーを蓋体の嵌合部に押し込む必要がある。サンプリングホルダと誤刺防止用針カバーとの外れにくさを向上させることは勿論重要であるが、採血セットを使用する者の立場に立つと、より軽い力で誤刺防止用針カバーを嵌合部に嵌め込むことができる方が望ましい。【０００６】
そこで本発明はこのような要望を鑑みてなされたもので、サンプリングホルダと誤刺防止用針カバーとを従来よりも外れにくくし、且つ、従来よりも軽い力で誤刺防止用針カバーをサンプリングホルダの嵌合部に嵌め込むことのできる、採血セット、サンプリングホルダ及び誤刺防止用針カバーを提供することを目的とする。
【課題を解決するための手段】
【０００７】
［１］本発明の採血セット（５００）は、
開口部（１１１）を有する筒状体（１１０）、前記筒状体（１１０）の前記開口部（１１１）を開閉可能な蓋体（１３０）及び前記蓋体（１３０）における前記筒状体（１１０）とは反対側の面に配置された嵌合部（１４０）を有するサンプリングホルダ（１００）と、
前記嵌合部（１４０）に嵌合可能な誤刺防止用針カバー（２００）とを備え、
前記嵌合部（１４０）は、
リブ部（１４１）と、
前記リブ部（１４１）に設けられた一つ以上の突部または凹部からなる係止部（１４２）とを有し、
前記誤刺防止用針カバー（２００）は、
前記係止部（１４２）に係止可能な被係止部（２５０）を有することを特徴としている。【０００８】
このため本発明の採血セットによれば、嵌合部に誤刺防止用針カバーを嵌め込む際、係止部が被係止部に引っ掛かるため、係止部及び被係止部の係合力により、サンプリングホルダと誤刺防止用針カバーとを従来よりも格段に外れにくくすることができる。【０００９】
また、本発明の採血セットによれば、係止部を被係止部に係止させることで誤刺防止用針カバーをサンプリングホルダの嵌合部に嵌め込むこととしているため、従来の採血セットの場合のように、誤刺防止用針カバーを蓋体の嵌合部に圧入するものに比べて、より軽い力で誤刺防止用針カバーを嵌合部に嵌め込むことが出来る。【００１０】
［２］上記［１］に記載の採血セット（５００）においては、前記係止部（１４２）が複数の突部または複数の凹部からなることが好ましい。【００１１】
このように構成することにより、サンプリングホルダと誤刺防止用針カバーが更に外れにくくなった採血セットとなる。【００１２】
［３］上記［２］に記載の採血セット（５００）においては、
前記リブ部が円周リブ（１４１）であり、
前記複数の突部または前記複数の凹部は、前記円周リブ（１４１）の中心軸に直交する仮想線（Ｌ１）に対して対称的に配置されていることが好ましい。【００１３】
このように構成することで、突部または凹部がバランスよく配置されることとなり、誤刺防止用針カバーとの係止箇所に偏りが無くなる。故に、サンプリングホルダと誤刺防止用針カバーが外れにくくかつ嵌めこみやすい採血セットとなる。【００１４】
［４］上記［１］から［３］のいずれか一つに記載の採血セット（５００）においては、
前記係止部（１４２）が突部であり、
前記蓋体（１３０）における前記筒状体（１１０）とは反対側の面と前記リブ部（１４１）との境界部分のうち、前記突部に対応する位置には穴（１４３）が設けられていることが好ましい。【００１５】
このように構成することにより、誤刺防止用針カバーを嵌合部に押し込む時の反動を小さくすることが出来る。その結果、誤刺防止用針カバーを嵌合部に嵌め込む際の抵抗を小さくし、より軽い力で誤刺防止用針カバーを嵌め込むことが出来る。【００１６】
［５］上記［１］から［４］のいずれか一つに記載の採血セット（５００）においては、
前記係止部（１４２）が突部であり、
前記係止部（１４２）の突端（１４２Ｐ）は、前記蓋体（１３０）における前記筒状体（１１０）側の面に向けて伸びていることが好ましい。【００１７】
このように構成することにより、係止部がいわゆる「返し」となることから、被係止部と係止部とをより外れにくくすることが出来る。その結果、サンプリングホルダと誤刺防止用針カバーとがより一層外れにくい採血セットとなる。【００１８】
［６］上記［１］から［５］のいずれか一つに記載の採血セット（５００）においては、
前記蓋体（１３０）の端部には、爪部（１３１）が設けられており、
前記筒状体（１１０）の前記開口部（１１１）近傍には、前記爪部（１３１）と引っ掛かりあう爪引っ掛け部（１１５）が設けられていることが好ましい。【００１９】
このように構成することで、筒状体の開口部を蓋体によって比較的簡単に封止することが可能になる。【００２０】
［７］本発明のサンプリングホルダ（１００）は、
開口部（１１１）を有する筒状体（１１０）、前記筒状体（１１０）の前記開口部（１１１）を開閉可能な蓋体（１３０）及び前記蓋体（１３０）における前記筒状体（１１０）とは反対側の面に配置された嵌合部（１４０）を備え、
前記嵌合部（１４０）は、
リブ部（１４１）と、
前記リブ部（１４１）に設けられた一つ以上の突部または凹部からなる係止部（１４２）とを有することを特徴としている。【００２１】
本発明のサンプリングホルダは、上記の係止部を備えているため、上記［１］に記載の採血セットの場合と同様の理由により、誤刺防止用針カバーを嵌め込んだときに誤刺防止用針カバーが従来よりも外れにくく、且つ、従来よりも軽い力で誤刺防止用針カバーを嵌め込むことのできるサンプリングホルダとなる。【００２２】
［８］上記［７］に記載のサンプリングホルダ（１００）においては、
前記係止部（１４２）が、複数の突部または複数の凹部からなることが好ましい。【００２３】
このように構成することにより、誤刺防止用針カバーを嵌め込んだときに誤刺防止用針カバーが更に外れにくいサンプリングホルダとなる。【００２４】
［９］上記［７］または［８］に記載のサンプリングホルダ（１００）においては、
前記係止部（１４２）が突部であり、
前記蓋体（１３０）における前記筒状体（１１０）とは反対の面と前記リブ部（１４１）との境界部分のうち、前記突部に対応する位置には、穴（１４３）が設けられていることが好ましい。【００２５】
このように構成することで、上記［４］に記載の採血セットの場合と同様の理由により、誤刺防止用針カバーを嵌め込んだときに、より軽い力で誤刺防止用針カバーを嵌め込むことが出来るサンプリングホルダとなる。【００２６】
［１０］本発明の誤刺防止用針カバー（２００）は、
上記［７］に記載のサンプリングホルダ（１００）の前記係止部（１４２）に係止可能な被係止部（２５０）を備えたことを特徴としている。【００２７】
本発明の誤刺防止用針カバーは、上記の被係止部を備えているため、上記［１］に記載の採血セットの場合と同様の理由により、サンプリングホルダに嵌め込んだときに従来よりもサンプリングホルダから外れにくく、且つ、従来よりも軽い力でサンプリングホルダの嵌合部に嵌め込むことのできる誤刺防止用針カバーとなる。【００２８】
なお、本欄（課題を解決するための手段の欄）に記載した各部材等の文言下に括弧をもって付加された符号は、本欄に記載された内容の理解を容易にするために用いられたものであって、本欄に記載された内容を限定するものではない。
【発明の効果】
【００２９】
本発明のサンプリングホルダと誤刺防止用針カバーを備えた採血セットによれば、サンプリングホルダと誤刺防止用針カバーとを確実に係合させることができるため、サンプリングホルダと誤刺防止用針カバーとを従来よりも格段に外れにくくすることができる。その結果、廃棄時における誤刺や血液感染の発生リスクをさらに低減させることができ、廃棄時の安全性をより一層高めることができる。また、係止部と被係止部とを引っ掛けることで誤刺防止用針カバーをサンプリングホルダの嵌合部に嵌め込むこととしているため、従来の採血セットの場合のように、誤刺防止用針カバーを蓋体の嵌合部に圧入するものに比べて、より軽い力で誤刺防止用針カバーを嵌合部に嵌め込むことが出来る。
【図面の簡単な説明】
【００３０】
【図１】図１は実施形態に係る採血セット５００を説明するための図である。
【図２】図２は誤刺防止用針カバー２００の斜視図である。
【図３】図３は誤刺防止用針カバー２００の被係止部２５０の部分拡大図である。
【図４】図４はサンプリングホルダ１００を開口部１１１方向から見た斜視図である。
【図５】図５はサンプリングホルダ１００を針装着部１１３方向から見た斜視図である。
【図６】図６はサンプリングホルダ１００の嵌合部１４０を説明するための図であり、（ａ）は蓋表面Ｓ２方向から蓋体１３０を見た図、（ｂ）は（ａ）のＶＩｂ−ＶＩｂ矢視端面図である。
【図７】図７は誤刺防止用針カバー２００とサンプリングホルダ１００の嵌め込みを説明するための図であり、（ａ）は誤刺防止用針カバー２００をサンプリングホルダ１００に嵌め込む前の図、（ｂ）は誤刺防止用針カバー２００をサンプリングホルダ１００に嵌め込んだ時の図である。
【図８】図８は嵌め込み時の係止部１４２と被係止部２５０との関係を示す図であり、（ａ）は被係止部２５０が係止部１４２と接している時の状態を示す部分端面図、（ｂ）は被係止部２５０が係止部１４２を乗り越えた時の状態を示す部分端面図である。
【発明を実施するための形態】
【００３１】
以下、本発明の採血セット、誤刺防止用針カバー及びサンプリングホルダについて、図に示す実施の形態に基づいて説明する。
【００３２】
［実施形態］
本発明の採血セットは、少なくともサンプリングホルダと誤刺防止用針カバーとを備えるものである。
【００３３】
［採血セット５００］
まず、実施形態に係る採血セット５００の構成について、図１を用いて説明する。
【００３４】
図１は、実施形態に係る採血セット５００を説明するための図である。
実施形態に係る採血セット５００は、図１に示すように、血液等を採取または保存する複数のバッグ（親バッグ３１０、サンプリングバッグ３２０、第一子バッグ３３０、第二子バッグ３４０、赤血球保存液入バッグ３５０）、採血針４１０、血液フィルター４５０、誤刺防止用針カバー２００及びサンプリングホルダ１００を有する。
親バッグ３１０は採血チューブＴ１を介して採血針４１０と接続している。採血チューブＴ１の途中には第一分岐管４２０があり、この分岐管４２０には初流血液導入チューブＴ２を介してサンプリングバッグ３２０が接続されている。サンプリングバッグ３２０にはサンプリングホルダ１００が接続されており、採血チューブＴ１の採血針４１０近傍には誤刺防止用針カバー２００が取付けられている。
親バッグ３１０は採血チューブＴ１とは別に、第一連結チューブＴ３を介して第一子バッグ３３０と接続している。第一連結チューブＴ３の途中には白血球除去等を目的とした血液フィルター４５０が設けられている。更に、第一子バッグ３３０は第一連結チューブＴ３とは別に第二連結チューブＴ４を介して第二分岐管４３０と接続している。第二分岐管４３０の一方は第三連結チューブＴ５を介して第二子バッグ３４０と、他方は第四連結チューブＴ６を介して赤血球保存液入バッグ３５０と接続している。
親バッグ３１０及び赤血球保存液入バッグ３５０は、例えばＭＡＰ（Mannitol Adenine Phosphate）液のような赤血球保存液または抗凝固剤を収納している（図示せず）。
【００３５】
［誤刺防止用針カバー２００］
図２は誤刺防止用針カバー２００の斜視図、図３は誤刺防止用針カバー２００の被係止部２５０の部分拡大図である。
図２に示すように、実施形態に係る誤刺防止用針カバー２００は両端が開口した管状体からなり、管状体の一方端から他方端に向かって、管状体鍔部２１０、大径部２２０、多角形部２４０を形成している。なお本明細書の誤刺防止用針カバーの説明においては、管状体鍔部２１０側を誤刺防止用針カバー２００の基端側、多角形部２４０側を誤刺防止用針カバー２００の先端側と定義する。
図２及び図３に示すように、誤刺防止用針カバー２００の基端側開口の外縁には、全周に亘って外側に向けて突出した被係止部２５０が設けられている。この被係止部２５０は基端側に向けて縮径したテーパ形状になっている。一方、誤刺防止用針カバー２００の先端側開口はチューブ挿入路２６０になっており、その開口径は採血チューブＴ１の径よりも若干大きくなっている。
【００３６】
管状体鍔部２１０は円形の断面を有し、その外径は、後述するサンプリングホルダ１００の蓋体１３０に設けられる嵌合部１４０の内周面よりも内側に位置する大きさとされている。
大径部２２０も円形の断面を有しており、大径部２２０の外径は管状体鍔部２１０の外径よりも若干小さいが、大径部２２０の内径は管状体鍔部２１０の内径とほぼ同じく形成されている。
多角形部２４０は、略正方形の断面を有している。
なお、誤刺防止用針カバー２００の材料は、ポリプロピレン等のプラスチック素材を好ましく用いることが出来る。
【００３７】
図１に示すように、誤刺防止用針カバー２００は、基端を採血針４１０側に向けて、採血チューブＴ１に挿入して設置する。採血後、誤刺防止用針カバー２００を採血針４１０側にスライドさせ、採血針４１０を誤刺防止用針カバー２００内に収納する。
【００３８】
［サンプリングホルダ１００］
図４はサンプリングホルダ１００を開口部１１１方向から見た斜視図、図５は針装着部１１３方向から見た斜視図である。
実施形態に係るサンプリングホルダ１００は、図４及び図５に示すように、両端を開口した筒状体１１０と、筒状体１１０の一方の開口部１１１を開閉可能な蓋体１３０と、蓋体１３０の蓋表面Ｓ２に設けられた嵌合部１４０とを有している。このサンプリングホルダ１００の材料は、例えばポリプロピレン等、プラスチック素材を好ましく用いることができる。
【００３９】
筒状体１１０は円筒形状を有し、筒状体１１０の一端に開口部１１１が設けられている。筒状体１１０の他端である針装着部１１３側の端部は縮径したテーパ形状になっており、テーパ形状の先端は筒状体１１０の中心軸に対して略垂直に形成された円面１１２を有している。円面１１２の中心は開口しており、当該開口には針装着部１１３が設けられている。針装着部１１３には採血管用のサンプリング針４４０（図１参照）が装着されることとなる。
【００４０】
筒状体１１０の開口部１１１の縁には、略楕円形状の開口鍔部１１４が設けられている。開口鍔部１１４には爪引っ掛け部１１５が設けられ、後述する蓋体１３０の爪部１３１と引っ掛け可能に形成されている。
また、開口鍔部１１４のうち爪引っ掛け部１１５の反対側にはヒンジ１２０が設けられ、ヒンジ１２０を介して蓋体１３０が接続されている。
蓋体１３０は開口鍔部１１４の外周とほぼ同じ形状、すなわち略楕円形を有する。
【００４１】
蓋体１３０における蓋裏面Ｓ１の所定位置（すなわち、ヒンジ１２０とは反対側の位置）には、爪部１３１が設けられている。爪部１３１の先端はヒンジ１２０側に向けて鉤状に突出し、蓋体１３０封止時に爪引っ掛け部１１５に引っ掛け可能に形成されている。
【００４２】
図６はサンプリングホルダ１００の嵌合部１４０を説明するための図である。うち図６（ａ）は蓋表面Ｓ２方向から蓋体１３０を見た図、図６（ｂ）は係止部１４２周辺の部分端面図（すなわち、図６（ａ）のＶＩｂ−ＶＩｂ矢視端面図）である。
嵌合部１４０は、リブ部としての円周リブ１４１と、円周リブ１４１の内周面に設けられた突部からなる係止部１４２とを有している。円周リブ１４１は蓋体１３０を封止した際に円周リブ１４１の円周が筒状体１１０の開口部１１１の円周と重なる位置となるように形成されている。すなわち円周リブ１４１と開口部１１１の中心軸はほぼ一致し、直径もほぼ等しい。円周リブ１４１の突出高さ（蓋表面Ｓ２から突出する円周リブ１４１の高さ）は例えば約２ｍｍに形成されている。
突部からなる係止部１４２は、円周リブ１４１の内周面から円周リブ１４１の中心軸方向に向けて突出して形成されている。係止部１４２は、例えば５個設けられており、円周リブ１４１の中心軸と直交する仮想線Ｌ１に対して対称的に配置されている（図６（ａ）参照）。係止部１４２の突端１４２Ｐは蓋表面Ｓ２に向けて延びており、係止部１４２の外側側面は傾斜面として形成されている（図６（ｂ）参照）。
【００４３】
サンプリングホルダ１００は、図１に示すとおり、サンプリング針４４０を設置した針装着部１１３をサンプリングバック３２０に接続して用いる。
サンプリングバッグ３２０に血液が溜まると、作業者は蓋体１３０を開け、筒状体１１０に採血管（図示せず）を挿入してサンプリングバッグ３２０内の血液を採取する。血液採取後は、筒状体１１０から採血管を抜き取り、蓋体１３０で封止する。
【００４４】
図７は誤刺防止用針カバー２００とサンプリングホルダ１００の嵌め込みを説明するための図であり、うち図７（ａ）は誤刺防止用針カバー２００をサンプリングホルダ１００に嵌め込む前の図、図７（ｂ）は誤刺防止用針カバー２００をサンプリングホルダ１００に嵌め込んだ時の図である。
また図８は嵌め込み時の係止部１４２と被係止部２５０との関係を示す図であり、うち図８（ａ）は被係止部２５０が係止部１４２と接している時の状態を示す部分端面図、図８（ｂ）は被係止部２５０が係止部１４２を乗り越えた時の状態を示す部分端面図である。
【００４５】
採血針４１０を収納した誤刺防止用針カバー２００をサンプリングホルダ１００に嵌め込む際、図７（ａ）に示したように蓋体１３０によって筒状体１１０を封止した状態で、誤刺防止用針カバー２００を蓋体１３０に近づける。その後、蓋体１３０の嵌合部１４０に管状体鍔部２１０を挿入し、図７（ｂ）に示すようにサンプリングホルダ１００と誤刺防止用針カバー２００を互いに係合させる。
このとき、図８（ａ）に示すように被係止部２５０が係止部１４２と接触して押圧されると、被係止部２５０は、その側面が係止部１４０の傾斜面に沿うようにして挿入され、図８（ｂ）に示すように被係止部２５０が係止部１４２を乗り越えることで嵌め込みが完了する。被係止部２５０が係止部１４２を乗り越えたとき、「カチッ」という音が生じるため、作業者は嵌め込みが完了したと判断することが出来る。
【００４６】
サンプリングホルダ１００の蓋体１３０において、蓋表面Ｓ２と円周リブ１４１との境界部分には、穴１４３が設けられている。穴１４３は、図４及び図６から解るように、係止部１４２に対応する位置に設けられている。
【００４７】
以上のように構成された実施形態に係る採血セット５００によれば、嵌合部１４０に誤刺防止用針カバー２００を嵌め込む際、係止部１４２が被係止部２５０に引っ掛かるため、係止部１４２及び被係止部２５０の係合力により、サンプリングホルダ１００と誤刺防止用針カバー２００とを従来よりも格段に外れにくくすることができる。
【００４８】
また、実施形態に係る採血セット５００によれば、係止部１４２を被係止部２５０に係止させることで誤刺防止用針カバー２００をサンプリングホルダ１００の嵌合部１４０に嵌め込むこととしているため、従来の採血セットの場合のように、誤刺防止用針カバーを蓋体の嵌合部に圧入するものに比べて、より軽い力で誤刺防止用針カバー２００を嵌合部１４０に嵌め込むことが出来る。
【００４９】
実施形態に係る採血セット５００においては、係止部１４２が複数の突部からなるため、サンプリングホルダ１００と誤刺防止用針カバー２００が更に外れにくくなった採血セットとなる。
【００５０】
実施形態に係る採血セット５００においては、図６（ａ）に示したように、複数の突部（係止部１４２）は、円周リブ１４１の中心軸に直交する仮想線Ｌ１に対して対称的に配置されているため、突部（係止部１４２）がバランスよく配置されることとなり、誤刺防止用針カバー２００との係止箇所に偏りが無くなる。故に、サンプリングホルダ１００と誤刺防止用針カバー２００が外れにくくかつ嵌めこみやすい採血セットとなる。
【００５１】
実施形態に係る採血セット５００においては、係止部１４２が突部であり、蓋表面Ｓ２と円周リブ１４１との境界部分のうち、係止部１４２に対応する位置には穴１４３が設けられている。
誤刺防止用針カバー２００を嵌合部１４０に嵌め込む際、誤刺防止用針カバー２００の被係止部２５０が係止部１４２を押圧すると、係止部１４２には押圧に対して抵抗する力が働く。このとき、係止部１４２に対応する位置に穴１４３が設けられていることから、係止部１４２に働く抵抗力を比較的小さくすることが出来る。その結果、誤刺防止用針カバー２００を嵌合部１４０に嵌め込む際の抵抗を小さくすることができ、より軽い力で誤刺防止用針カバー２００を嵌合部１４０に嵌め込むことが出来る。
【００５２】
実施形態に係る採血セット５００においては、蓋体１３０が、ヒンジ１２０を介して筒状体１１０と接続されているため、蓋体１３０を外したときに蓋体１３０を無くしてしまうこともない。
【００５３】
実施形態に係る採血セット５００においては、蓋体１３０の端部には、爪部１３１が設けられており、筒状体１１０の開口部１１１近傍には、爪部１３１と引っ掛かりあう爪引っ掛け部１１５が設けられている。このため、筒状体１１０の開口部１１１を蓋体１３０によって比較的簡単に封止することが可能になる。
【００５４】
実施形態に係る採血セット５００においては、係止部１４２が突部であり、係止部１４２の突端１４２Ｐは、蓋表面Ｓ２に向けて伸びている（図６（ｂ）参照）。つまり、係止部１４２は、いわゆる「返し」となっている。
このため、被係止部２５０が係止部１４２を乗り越えた後（誤刺防止用針カバー２００の嵌め込みが完了した後）は、誤刺防止用針カバー２００が蓋表面Ｓ２とは逆の方向（誤刺防止用針カバー２００が外れる方向）に動いたとしても、被係止部２５０と係止部１４２とが確実に引っ掛かりあい、誤刺防止用針カバー２００が嵌合部１４０から外れてしまうのをさらに抑制することが可能となる。
【００５５】
実施形態に係る採血セット５００においては、リブ部としての円周リブ１４１の突出高さは１ｍｍ〜５ｍｍになっている。
円周リブ１４１の突出高さが１ｍｍ未満の場合、係止部１４２が比較的小さくなってしまうため、望ましい程度の係合力を得ることが容易ではない。
一方、円周リブ１４１の突出高さが５ｍｍより大きい場合、製造時、サンプリングホルダ１００を金型から離型することが困難になる場合がある。
故に、リブ部としての円周リブ１４１の突出高さを１ｍｍ〜５ｍｍとすることにより、外れにくく、かつ製造が容易な採血セットとなる。
【００５６】
実施形態に係るサンプリングホルダ１００は、上記の係止部１４２を備えているため、採血セット５００の場合と同様の理由により、誤刺防止用針カバー２００を嵌め込んだときに誤刺防止用針カバー２００が従来よりも外れにくく、且つ、従来よりも軽い力で誤刺防止用針カバー２００を嵌め込むことのできるサンプリングホルダ１００となる。
【００５７】
実施形態に係る誤刺防止用針カバー２００は、上記の被係止部２５０を備えているため、採血セット５００の場合と同様の理由により、サンプリングホルダ１００に嵌め込んだときに従来よりもサンプリングホルダ１００から外れにくく、且つ、従来よりも軽い力でサンプリングホルダ１００の嵌合部１４０に嵌め込むことのできる誤刺防止用針カバー２００となる。
【００５８】
以上に記載した上記実施形態は本発明の一具体例を例示したものにすぎない。本発明の範囲は上記実施形態に限られるものではなく、その技術思想の範囲内で種々の変形が可能である。
【００５９】
（１）上記実施形態では、採血セット５００が複数のバッグ（親バッグ３１０、サンプリングバッグ３２０、第一子バッグ３３０、第二子バッグ３４０、赤血球保存液入バッグ３５０）を有しているが、本発明はこれに限定されない。バッグの種類は上記バッグに限らず、またバッグの数も１〜４つまたは６つ以上であっても良い。また、上記実施形態では、採血セット５００は血液フィルター４５０を有しているが、血液フィルターは無くても良い。
換言すると、本発明の誤刺防止用針カバーとサンプリングホルダとを少なくとも備える採血セットであれば、その構成は特に限定されるものではない。
【００６０】
（２）上記実施形態ではサンプリングホルダ１００の係止部１４２、誤刺防止用針カバー２００の被係止部２５０がともに突部であるが、本発明はこれに限定されない。どちらか一方が凹部からなるものであっても良い。すなわち「係止部が突部、被係止部が凹部」または「係止部が凹部、被係止部が突部」の組み合わせであっても良い。
【００６１】
（３）上記実施形態ではサンプリングホルダ１００の係止部１４２がリブ部としての円周リブ１４１の内周面から突出した突部であるが、本発明はこれに限定されない。リブ部の外周面に設けられた突部または凹部であっても良い。この場合、誤刺防止用針カバー２００の管状体鍔部２１０は、その内周面がリブ部の外周面よりも外側に位置するようにし、管状体鍔部２１０の内周面の縁部分に被係止部を形成すればよい。上記実施形態では、管状体鍔部２１０の外周面が嵌合部１４０の内周面よりも内側に位置するよう設定されている場合を例示して説明したが、本発明はこれに限定されるものではない。尚、係止部と被係止部とが互いに係合すれば、管状体鍔部２１０の内周面とリブ部の外周面、あるいは管状体鍔部２１０の外周面とリブ部の内周面は、互いに接していても良いし、離間していても良い。例えば、係止部および被係止部のうち一方が突部であり他方が凹部である場合、管状体鍔部２１０の内周面または外周面と、リブ部の外周面または内周面とが互いに接するように構成することもできる。
【００６２】
（４）上記実施形態においては、サンプリングホルダ１００の係止部１４２が５つある場合を例示したが、本発明はこれに限定されない。係止部が１〜４つ、または６つ以上であっても良い。
【００６３】
（５）上記実施形態においては、サンプリングホルダ１００の筒状体１１０と蓋体１３０がヒンジ１２０を介して接続されているが、本発明はこれに限定されない。接続部分はヒンジ以外の、例えば紐状部材や鎖状部材等であっても良い。
また筒状体１１０と蓋体１３０とが、何の部材も介さずに切り離されていても構わない。この場合、筒状体と蓋体の素材が異なっていても良い。
【００６４】
（６）上記実施形態においては、サンプリングホルダ１００の針装着部１１３側の端部がテーパ形状を有しているが、本発明はこれに限定されない。テーパ形状でなくても良い。
【００６５】
（７）上記実施形態においては、サンプリングホルダ１００の筒状体１１０が円筒状であるが、本発明はこれに限定されない。内部に採血管を挿入できるのであれば、筒状体は多角形断面であってもよい。
【００６６】
（８）上記実施形態においては、リブ部として円周リブ１４１を例示して説明したが、本発明はこれに限定されない。リブ部の形状は円形でなくとも、三角形、四角形などの多角形であっても良い。また、リブ部を形成するリブは全て繋がっている必要は無く、一部に切り欠きがある形状であっても良い。
【００６７】
（９）上記実施形態においては、誤刺防止用針カバー２００は円形断面の大径部２２０と、略正方形断面の多角形部２４０とを有する管状体からなっているが、本発明はこれに限定されない。全体が円形断面の管状体であっても良いし、全体が多角形断面の管状体であっても良い。
また、上記実施形態においては、誤刺防止用針カバー２００の多角形部２４０が略正方形断面を有しているが、本発明はこれに限定されない。三角形、または五角形以上の多角形であってもかまわない。
ともかく、採血チューブと採血針が挿入できるのであれば、誤刺防止用針カバーの管状体の断面形状は特に限定されるものではない。
【００６８】
（１０）上記実施形態においては、誤刺防止用針カバー２００の被係止部２５０は全周に亘って外側に向けて突出して設けられているが、本発明はこれに限定されない。被係止部２５０は全て繋がっている必要は無く、一部に切り欠きがある形状であっても良い。
【００６９】
（１１）本発明のサンプリングホルダと誤刺防止用針カバーは、血液等を採取または保存するバッグを備える採血セットだけではなく、例えば、血液透析等に用いられる血液回路セットや、点滴用の輸液バッグと接続可能に構成された輸液回路セットなどにも適用可能であることは勿論である。
【００７０】
本出願は、２００９年７月１日出願の日本特許出願（特願２００９−１５６５９２）に基づくものであり、その内容はここに参照として取り込まれる。
【産業上の利用可能性】
【００７１】
本発明のサンプリングホルダと誤刺防止用針カバーを備えた採血セットによれば、サンプリングホルダと誤刺防止用針カバーとを確実に係合させることができるため、医療分野において使用済針の廃棄処理を安全且つ確実に行うことができ、採血針を備えた採血セットのみならず、透析針を備えた血液回路セットや、点滴針を備えた輸液回路セットなどにも利用できる。
【符号の説明】
【００７２】
１００    サンプリングホルダ
１１０    筒状体
１１１    開口部
１１２    円面
１１３    針装着部
１１４    開口鍔部
１１５    爪引っ掛け部
１２０    ヒンジ
１３０    蓋体
１３１    爪部
１４０    嵌合部
１４１    円周リブ
１４２    係止部
１４２Ｐ  係止部の突端
１４３    穴
２００    誤刺防止用針カバー
２１０    管状体鍔部
２２０    大径部
２４０    多角形部
２５０    被係止部
２６０    チューブ挿入路
３１０    親バッグ
３２０    サンプリングバッグ
３３０    第一子バッグ
３４０    第二子バッグ
３５０    赤血球保存液入バッグ
４１０    採血針
４２０    第一分岐管
４３０    第二分岐管
４４０    サンプリング針
４５０    血液フィルター
５００    採血セット
Ｌ１      円周リブの中心軸に直交した仮想線
Ｓ１      蓋裏面
Ｓ２      蓋表面
Ｔ１      採血チューブ
Ｔ２      初流血液導入チューブ
Ｔ３      第一連結チューブ
Ｔ４      第二連結チューブ
Ｔ５      第三連結チューブ
Ｔ６      第四連結チューブ
【図１】
0005621139.tif 000002
【図２】
0005621139.tif 000003
【図３】
0005621139.tif 000004
【図４】
0005621139.tif 000005
【図５】
0005621139.tif 000006
【図６】
0005621139.tif 000007
【図７】
0005621139.tif 000008
【図８】
0005621139.tif 000009